(57)【特許請求の範囲】
【請求項１】
ボルト（Ｂ）のねじ軸に対して取り付けられるロックナットにおいて、
ナット部材（１）と、ナット部材（１）の外周面に対して取り付けが可能であり且つボルトと螺合しないロック部材（２）とを備え、
ナット部材（１）と、ナット部材（１）に対して取り付けが可能なロック部材（２）とを備えたものであり、
ナット部材（１）は、変形可能な素材からなる中空の筒状体であり、
ロック部材（２）を取り付けるための係合部（１２）を備え、
内周部分にはボルト（Ｂ）に対して螺合可能なねじ（１３）を備え、
側面には、軸方向の一端から他端にわたって、内外が連通した切欠（１１）が設けられたものであって、
ロック部材（２）は、ナット部材（１）を受容するための受容空間（２１）を有し、受容空間（２１）を取り囲むように係合部（２２）が設けられ、
ナット部材（１）の係合部（１２）とロック部材（２）の係合部（２２）とには、それぞれ第１係合部（１２ａ，２２ａ）と第２係合部（１２ｂ，２２ｂ）とを備え、
第１係合部（１２ａ，２２ａ）は、第２係合部（１２ｂ，２２ｂ）よりも中心軸（Ｃ）からの径方向の寸法が小さく形成されたものであり、
ナット部材（１）とロック部材（２）の第１係合部（１２ａ，２２ａ）同士が相対する位置におかれ、第２係合部（１２ｂ，２２ｂ）同士が相対する位置におかれた状態から、ロック部材（２）をナット部材（１）に対して回転させ、ロック部材（２）の第１係合部（２２ａ）が、ナット部材（１）の第２係合部（１２ｂ）に当接した状態におかれることにより、ロック部材（２）の第１係合部（２２ａ）にナット部材（１）の一部が圧迫されて変形し、これにより、上記切欠（１１）における周方向の寸法（Ｓ）が縮小されることを特徴とするロックナット。
【請求項２】
ボルト（Ｂ）のねじ軸に対してナット（Ｎ）と共に取り付けられるものであり、ボルト（Ｂ）と締結した状態のナット（Ｎ）に当接させることによりナット（Ｎ）の緩みを防止する、ナット（Ｎ）とは別体であることを特徴とする請求項１記載のロックナット。
【請求項３】
上記の第１係合部（１２ａ，２２ａ）は、面の中央における法線（Ｖ）がナット部材（１）及びロック部材（２）の中心軸（Ｃ）と交差するように形成された平面であり、
上記の第２係合部（１２ｂ，２２ｂ）が、ナット部材（１）及びロック部材（２）の中心軸（Ｃ）からの径方向の寸法が等しく形成された円周面であり、
ナット部材（１）の切欠（１１）の中央と中心軸（Ｃ）とを結ぶ面に対して、ナット部材（１）の係合部（１２）が対称形状に形成されたものであり、
上記のように、ロック部材（２）の第１係合部（２２ａ）が、ナット部材（１）の第２係合部（１２ｂ）に当接した状態におかれた際において、ロック部材（２）の第１係合部（２２ａ）がナット部材（１）に対して与える力の方向が中心軸（Ｃ）へ向かう方向であることを特徴とする、請求項１又は２に記載のロックナット。
【請求項４】
ナット部材（１）の側面には、内外が連通した切欠（１１）が設けられ、平面視方向における形状が、略Ｃ形とされており、切欠（１１）は、軸方向における一端から他端にかけて形成されており、切欠（１１）を挟んだ両側の部分が全体的に変形可能となっており、
ナット部材（１）の係合部（１２）は、第１係合部である３つの平面（１２ａ）（１２ａ）（１２ａ) と第２係合部である３つの円周面（１２ｂ）（１２ｂ）（１２ｂ）とが周方向について交互に形成されており、平面（１２ａ）（１２ａ）（１２ａ) の３つの面が、それぞれ１２０°毎に設けられ、同様に、円周面（１２ｂ）（１２ｂ）（１２ｂ）の３つの面が、それぞれ１２０°毎に設けられており、この平面（１２ａ）（１２ａ）（１２ａ) のうちの１つに上記の切欠（１１）が設けられることによって、切欠（１１）の中央と中心軸Ｃとを結ぶ面に対して、ナット部材（１）の係合部（１２）が対称形状となっており、
ロック部材（２）の係合部である、受容空間（２１）の内周壁（２２）は、ナット部材（１）の係合部（１２）の横断面形状とほぼ同形状である、第１係合部である平面（２２ａ）と第２係合部である円周面（２２ｂ）とが周方向について交互に形成されており、平面（２２ａ）（２２ａ）（２２ａ) の３つの面が、それぞれ１２０°毎に設けられ、同様に、円周面（２２ｂ）（２２ｂ）（２２ｂ）の３つの面が、それぞれ１２０°毎に設けられており、
ナット部材（１）における円周面（１２ｂ）の中心軸Ｃからの距離よりも、ロック部材（２）における平面（１２ａ）の中心軸Ｃからの距離の方が小さく形成されているため、ロック部材（２）を周方向に回転させて、ロック部材（２）における平面部（２２ａ）を、ナット部材（１）における円周部（１２ｂ）に当接させ、ナット部材（１）を圧迫することができ、
このとき、切欠（１１）から最も遠い位置にある第１点Ｐ１については支点の働きをしナット部材（１）は不動であり、上記第１点よりも切欠（１１）に近い位置にある点においては、ナット部材（１）が中心軸Ｃへ向かう方向の力を受けて変形し切欠（１１）の周方向の寸法Ｓが縮小されるものであり、
ナット部材（１）は、係合部（１２）を挟む、軸方向の両端側に大径部（１４，１５）を備え、
この大径部（１４，１５）は、少なくともその一部が、ロック部材（２）の第２係合部（２２ｂ）よりも中心軸（Ｃ）からの径方向の寸法が大きく形成されたものであり、
この大径部（１４，１５）により、ナット部材（１）からロック部材（２）が外れないようにされたことを特徴とする、請求項３記載のロックナット。
【発明の詳細な説明】
【技術分野】
【０００１】
本願発明は、締結したナットの緩み止めに用いるロックナットに関するものである。
【背景技術】
【０００２】
【特許文献１】特開平１１−２４７８２４号公報
【０００３】
従来より、締結したナットの緩み止めに用いるロックナットに関しては、種々の機構のものが提案されており、その一つとして、特許文献１に記載の「緩み止めナット」がある。
これは、ねじ軸に対して螺合するねじ孔を有する係合部と、係合部と一体に形成されたロック片とからなるナット本体に、ナット本体とは別体であるロックリングを取り付けて回転させることにより、ロックリングに設けられた突部がロック片を押圧し、ロック片がねじ軸に強く押し付けられて、ナット本体の緩み止めがなされるものである。
【発明の開示】
【発明が解決しようとする課題】
【０００４】
しかしながらこのロックナットでは、ロック片が上記のように可動のものであり、このロック片が係合部と一体となっているため、係合部とロック片との境界部分に応力が集中してかかり、亀裂が発生するなどして破損してしまうことが多く、信頼性に欠けるものであった。
【０００５】
本願発明はこのことに鑑み、信頼性が高く、確実に緩み止めを行うことのできるロックナットを提供することを課題とする。
【課題を解決するための手段】
【０００６】
上記課題を解決するため、本願の請求項１記載の発明は、ボルトＢのねじ軸に対して取り付けられるロックナットにおいて、ナット部材１と、ナット部材１の外周面に対して取り付けが可能であり且つボルトと螺合しないロック部材２とを備えたものであり、ナット部材１は、変形可能な素材からなる中空の筒状体であり、ロック部材２を取り付けるための係合部１２を備え、内周部分にはボルトＢに対して螺合可能なねじ１３を備え、側面には、軸方向の一端から他端にわたって、内外が連通した切欠１１が設けられたものであって、ロック部材２は、ナット部材１を受容するための受容空間２１を有し、受容空間２１を取り囲むように係合部２２が設けられ、ナット部材１の係合部１２とロック部材２の係合部２２とには、それぞれ第１係合部１２ａ，２２ａと第２係合部１２ｂ，２２ｂとを備え、第１係合部１２ａ，２２ａは、第２係合部１２ｂ，２２ｂよりも中心軸Ｃからの径方向の寸法が小さく形成されたものであり、ナット部材１とロック部材２の第１係合部１２ａ，２２ａ同士が相対する位置におかれ、第２係合部１２ｂ，２２ｂ同士が相対する位置におかれた状態から、ロック部材２をナット部材１に対して回転させ、ロック部材２の第１係合部２２ａが、ナット部材１の第２係合部１２ｂに当接した状態におかれることにより、ロック部材２の第１係合部２２ａにナット部材１の一部が圧迫されて変形し、これにより、上記切欠１１における周方向の寸法Ｓが縮小されることを特徴とするロックナットを提供する。
本願第２の発明は、上記本願第１の発明にあって、ボルトＢのねじ軸に対してナットＮと共に取り付けられるものであり、ボルトＢと締結した状態のナットＮに当接させることによりナットＮの緩みを防止する、ナットＮとは別体であることを特徴とするロックナットを提供する。
【０００７】
また、本願の第３の発明にあっては、上記本願第１又は第２の発明にあって、上記の第１係合部１２ａ，２２ａは、面の中央における法線Ｖがナット部材１及びロック部材２の中心軸Ｃと交差するように形成された平面であり、上記の第２係合部１２ｂ，２２ｂが、ナット部材１及びロック部材２の中心軸Ｃからの径方向の寸法が等しく形成された円周面であり、ナット部材１の切欠１１の中央と中心軸Ｃとを結ぶ面に対して、ナット部材１の係合部１２が対称形状に形成されたものであり、上記のように、ロック部材２の第１係合部２２ａが、ナット部材１の第２係合部１２ｂに当接した状態におかれた際において、ロック部材２の第１係合部２２ａがナット部材１に対して与える力の方向が中心軸Ｃへ向かう方向であることを特徴とするロックナットを提供する。
【０００８】
また、本願第４の発明では、上記本願第３の発明にあって、ナット部材１の側面には、内外が連通した切欠１１が設けられ、平面視方向における形状が、略Ｃ形とされており、切欠１１は、軸方向における一端から他端にかけて形成されており、切欠１１を挟んだ両側の部分が全体的に変形可能となっており、ナット部材１の係合部１２は、第１係合部である３つの平面１２ａ，１２ａ，１２ａと第２係合部である３つの円周面１２ｂ，１２ｂ，１２ｂとが周方向について交互に形成されており、平面１２ａ，１２ａ，１２ａの３つの面が、それぞれ１２０°毎に設けられ、同様に、円周面１２ｂ，１２ｂ，１２ｂの３つの面が、それぞれ１２０°毎に設けられており、この平面１２ａ，１２ａ，１２ａのうちの１つに上記の切欠１１が設けられることによって、切欠１１の中央と中心軸Ｃとを結ぶ面に対して、ナット部材１の係合部１２が対称形状となっており、ロック部材２の係合部である、受容空間２１の内周壁２２は、ナット部材１の係合部１２の横断面形状とほぼ同形状である、第１係合部である平面２２ａと第２係合部である円周面２２ｂとが周方向について交互に形成されており、平面２２ａ，２２ａ，２２ａの３つの面が、それぞれ１２０°毎に設けられ、同様に、円周面２２ｂ，２２ｂ，２２ｂの３つの面が、それぞれ１２０°毎に設けられており、ナット部材１における円周面１２ｂの中心軸Ｃからの距離よりも、ロック部材２における平面１２ａの中心軸Ｃからの距離の方が小さく形成されているため、ロック部材２を周方向に回転させて、ロック部材２における平面部２２ａを、ナット部材１における円周部１２ｂに当接させ、ナット部材１を圧迫することができ、このとき、切欠１１から最も遠い位置にある第１点Ｐ１については支点の働きをしナット部材１は不動であり、上記第１点よりも切欠１１に近い位置にある点においては、ナット部材１が中心軸Ｃへ向かう方向の力を受けて変形し切欠１１の周方向の寸法Ｓが縮小されるものであり、ナット部材１は、係合部１２を挟む、軸方向の両端側に大径部１４，１５を備え、この大径部１４，１５は、少なくともその一部が、ロック部材２の第２係合部２２ｂよりも中心軸Ｃからの径方向の寸法が大きく形成されたものであり、この大径部１４，１５により、ナット部材１からロック部材２が外れないようにされたことを特徴とするロックナットを提供する。
【発明の効果】
【０００９】
本願の請求項１又は請求項２に記載の発明にあっては、ナット部材１の軸方向の一端から他端にわたって、内外が連通した切欠１１が設けられていることにより、ロック部材２を回転させることに伴い、ナット部材１の、切欠１１を挟んだ両側の部分が全体的に変形可能となっている。このため、従来のように変形に伴い応力が集中してかかることがないため、破損が起こる可能性が極めて小さく、信頼性が高く、確実に緩み止めを行うことのできるロックナットを提供することができる。
【００１０】
また、本願の請求項３に記載の発明にあっては、上記の効果に加え、第１係合部１２ａ，２２ａが平面であり、第２係合部１２ｂ，２２ｂが円周面であるため、ロックナットの製造が比較的容易である。
【００１１】
また、本願の請求項４に記載の発明にあっては、上記請求項３に記載の発明の効果に加え、ナット部材１とロック部材２とが外れないようにロックナットが製造されるものであるため、現場での作業が簡便である。
【発明を実施するための最良の形態】
【００１２】
以下、図面に基づき本願発明の実施の形態の一例をとりあげて説明する。図１は本例のロックナットの構成を示す分解斜視図であり、図４は緩み止めが行われる際の、ナット部材とロック部材との関係を示す平面視の説明図であり、図５は本例のロックナットの使用の状態を示す説明図である。なお、図４は説明のために、ナット部材１の引掛部１５をかしめていない状態を示している。
【００１３】
本願発明に係るロックナットは、図５に示すように、ボルトＢに対して締結されるナットＮとは別体のものであり、ボルトＢのねじ軸に対して取り付け可能なナット部材１と、ナット部材１に取り付けられ、ナット部材１を締め付けるためのロック部材２とを備える。
【００１４】
ナット部材１は図１，２に示すような中空の筒状体であり、内周部分にはボルトＢのねじ軸に対して螺合可能なねじ１３が形成されている。本例のナット部材１においては、内周部分のほぼ全面にねじ１３が形成されているが、これに限らず、内周部分の一部にのみ、ねじ１３を形成したものとしても良い。
また、ナット部材１の側面には、内外が連通した切欠１１が設けられることにより、平面視方向における形状が、図２（Ａ）に示すように略Ｃ形とされている。本例においては、ナット部材１は、切欠１１の中央と中心軸Ｃとを結ぶ面に対して対称形状に形成されている。なお、後述する平面１２ａや円周面１２ｂの形状によっては、非対称形状に形成されたものであっても良い。
切欠１１は、軸方向における一端から他端にかけて形成されている。つまり、ナット部材１は、切欠１１を挟んだ一方側と他方側（図２（Ａ）における右側と左側）とが、縁の切れたものとなっているため、切欠１１を挟んだ両側の部分が全体的に変形可能となっている。これに加えて本例においては、後述する係合部１２が平面１２ａと円周面１２ｂとで形成され、これは応力集中の起こりにくい形状であるため、従来のように、変形に伴って応力が特定箇所に集中してかかり、破損が起こる可能性も少ない。
【００１５】
ナット部材１は、基部１４、係合部１２、引掛部１５とを備える。
本例において、基部１４は平面視円形の平板状に形成された部分であり、この基部１４外周の径方向の寸法は、少なくとも一部が、ロック部材２の内周壁２２における円周面２２ｂの径方向の寸法よりも大きく形成されており、ナット部材１に対してロック部材２が外れないようになっている。なお、この基部１４の底面１４ａがボルトＢに対して締結されたナットＮに対して当接する（図５参照）。
なお本例では、上記のように、ナット部材２の外れ止めと、ナットＮに対して当接する部分とを一体の基部１４として形成しているが、それぞれを別に形成しても良い。
【００１６】
係合部１２はロック部材２が取り付けられる部分である。係合部１２における外周部分には、本例においては、第１係合部である平面１２ａと第２係合部である円周面１２ｂとが形成されており、この平面１２ａと円周面１２ｂとは、３つの面が交互に、それぞれ１２０°毎に設けられている。そして、この平面１２ａのうちの１つに切欠１１が設けられているため、切欠１１の中央と中心軸Ｃとを結ぶ面に対して、ナット部材１の係合部１２が対称形状となっている。
ここで、本例のように第１係合部を平面１２ａに、第２係合部を円周面１２ｂに形成することは、他の複雑な形状に形成することに比べ、既に述べたように応力集中が起こりにくいという利点と、ロックナットの製造が比較的容易であるという利点とがある。後者の点は、後述するロック部材２における第１係合部（平面）２２ａと、第２係合部（円周面）２２ｂについても同様であり、ロックナットの製造コストの低減に寄与するものである。
次に、本例において、上記の平面１２ａは、図２（Ａ）に示すように、面の中央における法線Ｖがナット部材１の中心軸Ｃに対し交差するように形成されたものである。また、上記の各面１２ａ，１２ｂは、本例においては、中心軸Ｃに対して平行な面として形成されたものである。ただし、本願発明は本例の形態に限られるものではなく、平面１２ａの中央における法線Ｖがナット部材１の中心軸Ｃに対しずれて形成されたものや、各面１２ａ，１２ｂを中心軸Ｃに対して傾斜したテーパ面としても良い。
なお、本例においては、図２（Ａ）に示すように、ナット部材１の上面であり、円周面１２ｂの周方向における中央を通るように、ロック部材２との位置合わせ用のマーキング１６が径方向に施されている。
【００１７】
引掛部１５は、係合部１２にロック部材２を取り付けた後に、図２（Ｂ）に矢印で示したように、外側へ折り曲げるようにして変形させ、かしめることができる部分である。かしめた後における、引掛部１５の径方向の寸法は、少なくとも一部がロック部材２の内周壁２２の径方向の寸法よりも大きくなるように形成されており、上記の基部１４と、この引掛部１５の存在により、ロック部材２がナット部材１から外れないようになっている。なお、本例においては、引掛部１５をかしめる構造としているが、これに限られるものではなく、係合部１２にロック部材２を取り付けた後に、ピンやナットなどをナット部材１の、図１における上端部に取り付けることにより、ロック部材２の外れ止めとしても良い。
【００１８】
このナット部材１は、ロック部材２に押圧されて変形することにより、ボルトＢのねじ軸に対して押し付けられるものであるため、その素材としては、剛性を有しつつも変形が可能なものが用いられる。この変形は、弾性変形であっても塑性変形であっても良い。本例では、一般構造用圧延鋼材であるＳＳ４００を用い、めっきなどの表面処理が施されたものとしているが、この他に、例えばステンレス鋼や銅合金、合成樹脂など、種々の素材を用いることができる。
【００１９】
次に、ロック部材２は、ナット部材１の係合部１２に取り付けられる部材であって、本例では、図１，３に示すような板状のものである。このロック部材２の外周部分には、スパナなどの工具と係合可能な形状である工具係合面２３が設けられており、本例では、ナットＮと同様、平面視の形状が六角形とされている。
ロック部材２の内側にはナット部材１の係合部１２を受容するための受容空間２１を有し、この受容空間２１を取り囲むようにして、係合部としての内周壁２２が形成されている。この内周壁２２は、本例においては、ナット部材１の係合部１２の横断面形状とほぼ同形状である、第１係合部である平面２２ａと第２係合部である円周面２２ｂとが形成されており、この平面２２ａと円周面２２ｂとは、３つの面が交互に１２０°毎に設けられている。
そして、上記の平面２２ａは、面の中央における法線Ｖがロック部材２の中心軸Ｃに対し交差するように形成されたものである。また、上記の各面２２ａ，２２ｂは、本例においては、中心軸Ｃに対して平行な面として形成されたものである。ただし、本願発明は本例の形態に限られるものではなく、平面２２ａの中央における法線Ｖがロック部材２の中心軸Ｃに対しずれて形成されたものや、各面２２ａ，２２ｂを中心軸Ｃに対して傾斜したテーパ面としても良い。
なお、本例においては、図３に示すように、ロック部材２の上面であり、平面２２ａの周方向における中央を通るように、ナット部材１との位置合わせ用のマーキング２４が径方向に施されている。
【００２０】
ここで、上記の円周面２２ｂに関しては、ナット部材１における円周面１２ｂの中心軸Ｃからの径方向の寸法よりも、ロック部材１における円周面２２ｂの径方向の寸法の方がわずかに大きく形成されており、これにより、ナット部材１に対してロック部材２が摺動可能となっている。
一方、平面２２ａに関しては、ナット部材１における平面１２ａの中心軸Ｃからの径方向の寸法よりも、ロック部材１における平面２２ａの同寸法の方が大きく形成されている。これに加え、ナット部材１の円周面１２ｂの同寸法よりも、ロック部材２における平面２２ａの同寸法の方が小さく形成されており、これにより平面部２２ａが、ナット部材１における円周部１２ｂに当接した際に、上記寸法の差により、ロック部材２がナット部材１を圧迫して変形させることができる。
【００２１】
なおロック部材２の素材については、ナット部材１を押圧して変形させるためのものであるため、圧縮強度に優れるものであれば良い。よって、ナット部材１において上記に例示した素材に加え、セラミックや鋳鉄などの種々の素材を用いることもできる。なお、本例においては、ナット部材と同様、表面処理を施したＳＳ４００が用いられている。
【００２２】
ナット部材１とロック部材２とはそれぞれ別体に形成されているが、上記で述べたように、ナット部材１の係合部１２に対してロック部材２が取り付けられた状態において、ナット部材１の引掛部１５がかしめられることにより、ロック部材２がナット部材１から外れないようになっている。
ここで、ナット部材１の係合部１２に対するロック部材２の取り付けは、両者の平面１２ａ，２２ａ同士、円周面１２ｂ，２２ｂ同士を、図４（Ａ）に示すような、それぞれ相対する位置関係に合わせた状態で行う。
【００２３】
上記のように構成されたナット部材１とロック部材２とを用いたナットＮの緩み止め方法は次の通りである。
まず、被締結物Ｍを挟み、ナットＮを締結した状態にあるボルトＢに対し、図５に示すように、ロックナットを、ナットＮに当接するまでねじ込む。なお、この際において、ナット部材１とロック部材２とは、図４（Ａ）に示すように、両者の平面１２ａ，２２ａ同士、円周面１２ｂ，２２ｂ同士がそれぞれ相対する位置関係にあり、ナット部材１が未だ変形していない状態にある。
そして上記の状態から、ロック部材２を図４（Ａ）に示す矢印方向に６０°回転させて、図４（Ｂ）に示すような状態とする。この際、ナット部材１にはマーキング１６が、ロック部材２にはマーキング２４がそれぞれ施されているため、両者が一致するように回転させれば良い。ナット部材１における円周面１２ｂの中心軸Ｃからの距離よりも、ロック部材２における平面１２ａの中心軸Ｃからの距離の方が小さく形成されているため、上記の状態において、ロック部材２における平面部２２ａが、ナット部材１における円周部１２ｂに当接し、ナット部材１を圧迫する。具体的には、図４（Ｂ）において、切欠１１から最も遠い位置にある第１点Ｐ１については支点の働きをするために、ナット部材１は不動であるが、切欠１１に近い位置にある第２点Ｐ２及び第３点Ｐ３においては、ナット部材１が中心軸Ｃへ向かう方向の力を受けて変形する。これにより、切欠１１の周方向の寸法Ｓが縮小される。つまり、切欠１１が、変形前である図４（Ａ）に示した状態よりも、変形後である図４（Ｂ）に示した状態の方が狭くなる。これに伴い、変形したナット部材１の内周部分がボルトＢのねじ軸を押圧し、ナット部材１が緩むことなく保持されるため、ナット部材１に当接するナットＮも緩むことがない。
【００２４】
本願発明に係るロックナットは、特許文献１に記載の「緩み止めナット」のように、特定箇所に応力が集中してかかることがないため、亀裂などが発生する可能性も極めて小さく、信頼性の高いものである。
また、本例におけるロックナットは、あらかじめナット部材１にロック部材２が取り付けられた状態で製造されるものであり、このロックナットを実際に使用する現場においては、ロック部材２と一体の状態にあるナット部材１をボルトＢに取り付け、ロック部材２をナット部材１に対し回転させるだけで良く、緩み止め作業が簡便なものとなっている。なお、本願発明の実施の形態は、これに限られるものではなく、ナット部材１とロック部材２とを別々に供給し、現場で両者を組合わせるものとしても良い。
【００２５】
また、ロック部材２の第１係合部２２ａの形状は、本例では平面としたが、本願発明はこの形態に限られるものではなく、種々の形態で実施することができる。例えば、突起など、中心軸Ｃの方向に突出する面を設けたり、逆に中心軸Ｃの方向に対して凹んだ面であって、曲率をナット部材１の円周面１２ｂの曲率よりも大きく形成するなどしても良い。ただし、応力集中の起こりにくい形状とするように留意する必要がある。そして、対応するナット部材１の係合部１２の形状についても、上記のロック部材２の係合部２２の形状に合わせて、種々の形態で実施することができる。
また、各部材の第２係合部１２ｂ，２２ｂについても、本例においては、両者が摺動可能な円周面としたが、ナット部材１を変形させるためにロック部材２を支障なく回転させることができるものであれば、他の形状で実施しても良い。
【００２６】
また、本例におけるロック部材２の平面２２ａの中央部分に突起を設けておき、ナット部材１の円周面１２ｂには前記突起と対応する凹部を設けておくことにより、ナット部材１に対してロック部材２を回転させた際に、図４（Ｂ）に示したように、ナット部材１の変形が最大となる位置において、上記の突起が凹部に嵌まることによってロック部材２の回転が止まり、行き過ぎてしまわないようなストッパーを設けても良い。このストッパーは、各面に段差を設けることによって回転を止めるように実施しても良い。
【００２７】
結局、本願発明は、ロック部材２をナット部材１に対して回転させることによって、ナット部材１が、切欠１１の周方向の寸法Ｓが縮小されるように変形するようになされるものであれば、各係合部１２，２２の具体的形状については、種々に変更して実施し得るものである。
【図面の簡単な説明】
【００２８】
【図１】本願発明の実施の形態の一例に係るロックナットの構成を示す分解斜視図である。
【図２】本例のナット部材を示し、（Ａ）は平面図、（Ｂ）は側面視の半断面図である。
【図３】本例のロック部材を示す平面図である。
【図４】緩み止めが行われる際の、ナット部材とロック部材との関係を示す平面視の説明図であり、（Ａ）はナット部材に対してロック部材を回転させる前の状態を示し、（Ｂ）はロック部材を回転させた後の状態を示す。
【図５】本例のロックナットの使用の状態を示す説明図である。
【符号の説明】
【００２９】
１        ナット部材
１１      切欠
１２      係合部
１２ａ    第１係合部、平面
１２ｂ    第２係合部、円周面
１３      ねじ
１４      大径部、基部
１５      大径部、引掛部
２        ロック部材
２１      受容空間
２２      係合部
２２ａ    第１係合部、平面
２２ｂ    第２係合部、円周面
Ｂ        ボルト
Ｃ        中心軸
Ｎ        ナット
Ｓ        切欠の周方向の寸法
Ｖ        第１係合部の面の法線
【要約】
【課題】信頼性が高く、確実に緩み止めを行うことのできるロックナットを提供する。
【解決手段】
切欠１１を有する中空の筒状体であるナット部材１と、ナット部材１に取り付けるロック部材２とを備え、ロック部材２をナット部材１に対して回転させることにより、ロック部材２の第１係合部２２ａにナット部材１の一部が圧迫されて変形し、これにより、緩み止めがなされるロックナットを提供する。ナット部材１の軸方向の一端から他端にわたって、内外が連通した切欠１１が設けられていることにより、ナット部材１の、切欠１１を挟んだ両側の部分が全体的に変形可能となっているため、従来のように変形に伴い応力が集中してかかることがなく、破損が起こる可能性が極めて小さく、信頼性が高く、確実に緩み止めを行うことができる。
【選択図】          図４
【図１】
0003629487.tif 000002
【図２】
0003629487.tif 000003
【図３】
0003629487.tif 000004
【図４】
0003629487.tif 000005
【図５】
0003629487.tif 000006